(57)【要約】      （修正有）【課題】水道水又はオゾンガス混合水のオゾンガス発生器側への逆流を防止するために使用する逆流防止器の小型化並びに逆流防止機能の向上及び安定化を図り、その補修や点検の頻度を減少させるオゾン水シャワー装置を提供する。【解決手段】シャワー本体のオゾンガス入口３ｂよりオゾンガス供給用ホース８を通してオゾンガス発生器２からのオゾンガスを吸引し、シャワー本体からオゾンガス混合水を噴出する。オゾンガス供給用ホース８に介設する逆流防止器１２を、上方部にオゾンガス入口１２ｂ及びオゾンガス出口を、また、オゾンガス出口の下方部にドレーン排水口を設けた気密性タンク本体１２ａとする。【選択図】図１
0003181354.tif 000002
【実用新案登録請求の範囲】
【請求項１】
シャワー本体（１１）内に設けたエジエクタ（３）のオゾンガス入口（３b）よりオゾンガス供給用ホース（８）を通してオゾンガス発生器（２）からのオゾンガスを吸引し、前記エジエクタ（３）のオゾン混合水出口（３c）に連通するシャワーヘッド（６）からオゾン混合水を噴出するオゾン水シャワー装置（１）において、前記オゾンガス供給用ホース（８）に介設する逆流防止器（１２）を、上方部にオゾンガス入口（１２b）及びオゾンガス出口（１２c）を、また、前記オゾンガス出口（１２c）下方部にドレーン排水口（１２d）を設けた気密性タンク本体（１２a）としたことを特徴とするオゾン水シャワー装置用の逆流防止器。
【請求項２】
ドレーン排水口（１２d）の口径をオゾンガス出口（１２c）の口径よりも大きくした請求項１に記載のオゾン水シャワー装置用の逆流防止器。
【請求項３】
オゾンガス入口（１２b）を気密性タンク本体（１２a）の天井部に、また、オゾンガス出口（１２c）及びドレーン排水口（１２d）を気密性タンク本体（１２a）の側壁部に設けるようにした請求項１に記載のオゾン水シャワー装置用の逆流防止器。
【請求項４】
気密性タンク本体（１２a）を円筒型又は角柱型の形態とした請求項１に記載のオゾン水シャワー装置用の逆流防止器。
【請求項５】
オゾンガス供給用ホース（８）を金属製又はゴム製若しくは合成樹脂製の可撓性ホースとした請求項１に記載のオゾン水シャワー装置用の逆流防止器。
【請求項６】
ドレーン排水口（１２d）に接続するドレーン排水用ホース（９）の内径を、オゾンガス出口（１２c）に接続するオゾンガス供給用ホース（８）の内径よりも大きくした請求項１に記載のオゾン水シャワー装置用の逆流防止器。
【請求項７】
シャワー本体(１１)を、エジエクタ（３）とシャワーヘッド（６）とを一体的に連結組合せしてなる構成とした請求項１に記載のオゾン水シャワー装置用の逆流防止器。
【請求項８】
エジエクタ（３）の水入口（３a）側に圧力調整弁（V１）を設けるようにした請求項７に記載のオゾン水シャワー装置用の逆流防止器。
【考案の詳細な説明】
【技術分野】
【０００１】
本考案は、オゾン水シャワー装置用の逆流防止器の改良に関するものであり、特に、オゾン発生器にて発生したオゾンガスをエアーポンプにより送風し、エジエクタにおいて水道水と混合させて生成したオゾン気泡水をシャワーヘッドへ送水する形式のオゾン水シャワー装置に於いて、弁構造の逆止弁を一切用いない簡単な機構の逆流防止器でもって、オゾン発生器側への水道水やオゾン混合水の逆流を確実に防止できると共に、補修や点検の頻度を大幅に削減できるようにしたオゾン水シャワー装置用の逆流防止器に関するものである。
【背景技術】
【０００２】
一般にオゾン混合水は、オゾンが強力な酸化剤としての効用を有することにより、洗剤や殺菌剤を用いることなしに、比較的少量の洗浄水量でもって小動物の体毛及び皮膚の洗浄や乳牛の乳頭等の洗浄を行うことができ、安全性等の点でも優れた効用を奏するものである。
【０００３】
そのため、従前から、オゾン発生器にて発生したオゾンガスをエアーポンプによりエジエクタへ送風し、エジエクタにおいて水道水と混合させて生成したオゾン気泡水をシャワーヘッドへ送水するようにした形式のオゾン水シャワー装置が、動物病院やペットショップ等に於いて広く使用されている。
【０００４】
而して、一般にこの種のオゾン水シャワー装置１は、図４に示すように、放電電極板及び放電電源回路等を備えたオゾンガス発生器２と、高速水流によって負圧を発生させるエジエクタ３と、エジエクタ３のオゾン混合水出口３cに接続したシャワーヘッド６と、オゾンガス供給用ホース８に介設した逆止弁４と、ドレーン排水用ホース９に介設したドレーン弁５等から形成されている。そして、水道水Wの供給によりエジエクタ３内に負圧が生じると、オゾンガス発生器で生成されたオゾンガスOがオゾンガス供給用ホース８及び逆止弁４を通してエジエクタ３内へ吸引され、水道水W とオゾンガスOとの混合水（オゾン気泡水）がエジエクタ３よりシャワーヘッド６へ送られる。
【０００５】
前記図1のオゾン水シャワー装置１に於いては、オゾンガス供給用ホース８を通して供給されるオゾンガスOが空気ポンプ２aにより僅かに加圧された状態でオゾンガス発生器２から送られていること、エジエクタ３のオゾンガス入口３b部分が負圧になっていること、及びオゾンガス発生器2がシャワーヘッド６より高所に設置されていること等により、通常の運転状態においては、水道水Wやオゾン気泡水（オゾン混合水）がオゾンガス発生器２側へ逆流することはない。
【０００６】
また、万一、逆止弁４に漏洩が生じても、水道水Wの供給停止によってエジエクタ３内の負圧が解消されると、ドレーン弁５が自動開放され、オゾンガス供給用ホース８内のドレーン水は自動排出されろことになる。尚、通常は、水道水Wの供給停止と同時にオゾンガス発生器２の運転も停止され、これにより、オゾンガスOのドレーン弁５からの排出は停止される。
【０００７】
しかし、水道水Wの供給中に給水系にウオータハンマーが起こったり、逆止弁４の構成部材に腐食生成物が噛みこんだり、或いは、弁部材事態が腐食されることにより逆止弁４に漏洩が生じると、水道水Wやオゾン混合水がオゾンガス発生器２側へ逆流することになり、さまざまな不都合が生ずることになる。
【０００８】
現実には、この種のオゾン水シャワー装置においては、オゾンガスOが前述の通り極めて高い酸化力を有するため、逆止弁４の構成部材の腐食等による水道水W等のドレーン弁５側への漏洩がしばしば発生し、逆止弁４の補修や点検に多くの手数を要すると云う問題を生じている。
【０００９】
一方、上述のような問題の発生を避けるため、図５に示すように、エジエクタ３のオゾンガス入口３b近傍に設けた逆止弁４を取り外すと共に、オゾンガス供給用ホース８の途中に気密タンク１０を設け、この気密タンク１０のオゾンガス発生器２側に逆止弁４を設けることにより、気密タンク１０内に蓄積されたオゾンガスOの圧力を利用して逆止弁４の逆止弁作用を強化する構成としたものが開発されている。
しかし、この図５のオゾン水シャワー装置１に於いても、逆止弁４の構成部材がオゾンガスオゾンOと直接に接触するため酸化による腐食の発生が不可避であり、結果として、逆止弁４の漏洩に係る問題の基本的な解決にはならないと云う問題がある。
【先行技術文献】
【特許文献】
【００１０】
【特許文献１】実用新案登録第３１４１４２９号公報
【特許文献２】特開２００８−１２５１２号公報
【特許文献３】特開２００８−１２５１１号公報
【考案の概要】
【考案が解決しようとする課題】
【００１１】
本考案は、従前のこの種オゾン水シャワー装置に用いる逆流防止器に於ける上述の如き問題、即ち、（イ）酸化作用の強いオゾンやオゾン混合水との接触が不可避であるため、金属材及び合成樹脂材を問わず逆止弁機構に腐食が生じ、オゾンガス発生器側への水道水やオゾン混合水の逆流を生じること、(ロ)エジエクタ３やオゾンガス供給用ホース８の内壁面の腐食により生じた腐食生成物が原因となり、逆止弁４にしばしば漏洩を生じ、その補修に手数が掛かること等の問題を解決せんとするものであり、逆止弁４を用いること無にオゾン混合水等のオゾンガス発生器側への逆流を確実に防止できるようにした、オゾン水シャワー装置用の逆流防止を提供することを考案の主目的とするものである。
【課題を解決するための手段】
【００１２】
請求項１の発明は、シャワー本体１１内に設けたエジエクタ３のオゾンガス入口３bよりオゾンガス供給用ホース８を通してオゾンガス発生器２からのオゾンガスを吸引し、前記エジエクタ３のオゾン混合水出口３cに連通するシャワーヘッド６からオゾン混合水を噴出するオゾン水シャワー装置１において、前記オゾンガス供給用ホース８に介設する逆流防止器１２を、上方部にオゾンガス入口１２b及びオゾンガス出口１２cを、また、前記オゾンガス出口１２cの下方部にドレーン排水口１２dを設けた気密性タンク本体１２aとしたことを考案の基本構成とするものである。
【００１３】
請求項２の考案は、請求項１の考案に於いて、ドレーン排水口１２dの口径をオゾンガス出口１２cの口径よりも大きくしたものである。
【００１４】
請求項３の発明は、請求項１の考案に於いて、オゾンガス入口１２bを気密性タンク本体１２aの天井部に、また、オゾンガス出口１２c及びドレーン排水口１２dを気密性タンク本体１２aの側壁部に設けるようにしたものである。
【００１５】
請求項４の考案は、請求項１の考案に於いて、気密性タンク本体１２aを円筒型又は角柱型の形態としたものである。
【００１６】
請求項５の考案は、請求項１の考案に於いて、オゾンガス供給用ホース８を金属製又はゴム製若しくは合成樹脂製の可撓性ホースとしたものである。
【００１７】
請求項６の考案は、請求項１の考案に於いて、ドレーン排水口１２dに接続するドレーン排水用ホース９の内径を、オゾンガス出口１２cに接続するオゾンガス供給用ホース８の内径よりも大きくしたものである。
【００１８】
請求項７の考案は、請求項１の考案に於いて、シャワー本体１１を、エジエクタ３とシャワーヘッド６とを一体的に連結組合せしてなる構成としたものである。
【００１９】
請求項８の考案は、請求項７の考案に於いて、エジエクタ３の水入口３a側に圧力調整弁V１を設けるようにしたものである。
【考案の効果】
【００２０】
本考案に係るオゾン水シャワー装置用の逆流防止器１２は、上方部にオゾンガス入口１２b及びオゾンガス出口１２cを、下方部にドレーン排水口１２dを設けた気密性タンク本体１２aから構成されており、逆止弁機構は一切使用されていない。その結果、酸化力の強いオゾンガスやオゾン混合水の接触により、万一配管路系統や逆流防止器１２自体に腐食が生じたとしても、腐食生成物によって逆流防止器１２の逆流防止機能が阻害されることは一切無く、オゾンガス発生器２側への水道水やオゾンガス混合水の逆流を皆無にすることができると共に、逆流防止器１２の補修や点検も殆ど不要となる。
【００２１】
また、ドレーン排水口１dの口径をオゾンガス出口１２cの口径よりも大きくし、更に、気密性タンク本体１２aの天井部にオゾンガス入口１２bを、また、側壁部の上方にオゾンガス出口１２c及び側壁部の下方にドレーン排水口１２dを設けるようにしているため、気密性タンク本体１２a内へ流入した水又はオゾンガス混合水は、円滑に気密性タンク本体１２a外へ排出され、オゾンガス発生器２側への逆流が確実に防止される。
【図面の簡単な説明】
【００２２】
【図１】本考案に係る逆流防止器１２を用いたオゾン水シャワー装置１の構成を示す全体系統図である
【図２】本考案に係る逆流防止器１２の断面概要図である。
【図３】表１の試験結果に係る試験装置の系統図である。
【図４】従前のオゾン水シャワー装置１の構成を示す系統図である。
【図５】従前の他のオゾン水シャワー装置１の構成を示す系統図である。
【考案を実施するための形態】
【００２３】
以下、図面に基づいて本考案の実施形態を説明する。尚、図１〜図３に於いて、前記図４及び図５と同じ部位、部材には、これと同じ参照番号を使用するものとする。
【００２４】
図１は、本考案に係る逆流防止器１２を用いたオゾン水シャワー装置１の構成を示す全体系統図であり、図１に於いて、２はオゾンガス発生器、２aは空気ポンプ、３はエジエクタ３、３aは水入口、３bはオゾンガス入口、３cはオゾン混合水出口、６はシャワーヘッド６、７は給水ホース７、８はオゾンガス供給用ホース、９はドレーン排水用ホース、１１はシャワー本体、１２は逆流防止器、Wは水道水、Aは空気流である。
【００２５】
そして、オゾンガス発生器２で発生されたオゾンガスOがオゾンガス供給用ホース８及び逆流防止器１２を通してオゾンガス入口３bからエジエクタ３内へ吸引され、水道水Wに混合されてオゾン混合水出口３cからシャワーヘッド６へ送られることにより、シャワーヘッド６からオゾン気泡水（シャワー水）が噴出されることになる。
尚、前記オゾンガス発生器２及びエジエクタ３そのものは公知であるため、ここではその説明を省略する。
【００２６】
前記、逆流防止器１２は、図２に示すように、オゾンガス入口１２bと、オゾンガス出口１２cと、ドレーン排水口１２d有する合成樹脂製の気密性タンク本体１２aから構成されており、オゾンガス出口１２cがドレーン排水口１２dの上方位置に設けられている。
また、前記ドレーン排水口１２dの口径はオゾンガス出口１２cの口径よりも大きく設定されており、その結果、オゾンガス供給用ホース８よりもドレーン排水用ホース９の方が大径（太径）となっている。
【００２７】
前記気密性タンク本体１２aの形態は如何なる形態であっても良く、円筒形、角柱状、球体状等に径脊することが出来る。
また、前記オゾンガス入口１２bは、一般に気密性タンク本体１２aの天井部に、また、オゾンガス出口１２c及びドレーン排水口１２dは、気密性タンク本体１２aの側壁面に設けられ、かつ、オゾンガス出口１２cはドレーン排水口１２dよりも高位置に設けられる。
更に、前記給水ホース７やオゾンガス供給用ホース８には、金属製（ステンレス鋼製）やゴム製、合成樹脂性の可撓性パイプが使用されている。
【００２８】
本考案に係るオゾン水シャワー装置が定常運転の状態にある時には、水栓１６が開放されるとエジエクタ３内に負圧が生じ、この生じた負圧により、空気ポンプ２aにより僅かに加圧されているオゾンガス発生器２内のオゾンガスOが、優先的にエジエクタ３内へ吸引される。これにより、仮に逆流防止器１２内にドレーン水が存在したとしても、このドレーン水がオゾンガス供給用ホース８を通してエジエクタ３内へ吸引されたり、或いはオゾンガス供給用ホース８を通してオゾンガス発生器２側へ流入することはない。
また、使用中に水栓１６を閉鎖した時には、エジエクタ３の自吸力がなくなることにより、オゾンガスOの吸引が減少し、オゾンガス発生器２を継続して運転している場合にはオゾンガスOが過剰となる。尚、この場合には、過剰なオゾンガスOがドレーン排水用ホース９を通して外部へ放出されることになる。
【００２９】
更に、使用中にシャワーヘッド６の先端が閉塞されたような場合には、シャワー本体１１からオゾンガス発生器２側への水道水やオゾン混合水の逆流が発生する。
この場合には、逆流水は、先ず逆流防止器１２の気密性タンク本体１２a内へ流入してくるが、オゾンガス供給用ホース８の口径及び気密性タンク１２aのオゾンガス出口１２cの口径よりも、気密性タンク本体１２aのドレーン排水口１２dの口径及びドレーン排水用ホース９の口径の方が大きいため、気密性タンク本体１２a内の水位は上昇することなしに、ドレーン水はドレーン排水用ホース９を通して円滑に外部へ排出される。勿論、オゾンガス発生器２が引き続き運転されている場合には、余剰なオゾンガスOは排水と一緒にドレーン排水用ホース９を通して外部へ排出される。
【００３０】
また、シャワー本体１１の使用後に、その高さ位置がオゾンガス発生器２の設置位置より高い場合には、シャワー本体１１内等の水が逆流防止器１２の気密性タンク本体１２a内へ逆流することになる。しかし、この場合においても、逆流水はドレーン排水口１２d及びドレーン排水用ホース９を通して、円滑に外部へ排出される。
【００３１】
尚、前記シャワー本体１１は、エジエクタ３とシャワーヘッド６とを一体的に連結したものであり、小型で取扱性に優れた形態に形成されている。
【００３２】
図３は、本考案に係る逆流防止器１２の性能試験装置の系統図であり、逆流防止器１２から導出したオゾンガス供給用ホース８の先端にオゾンガス流量計１３及びオゾンガス濃度測定器１４を直列に接続し、シャワー本体１１への供給水圧P1をパラメータにして、ドレーン排水用ホース９部のオゾンガス流量(L/min)とオゾンガス濃度(ppm)並びにシャワーヘッド６内のオゾン混合水のオゾンガス濃度(ppm)を測定するようにしたものである。
【００３３】
尚、測定は各供給水圧P1ごとに３回行い、シャワーヘッド６内のオゾンガス混合水は試験用仮設管路１５を通してオゾンガス流量計１３へ導入した。
また、前記逆流防止器１２は65mm×100mm×35mmの内容積に設定されており、オゾンガス発生器２には、株式会社桜川ポンプ製作所製のオーミュー(OZS-PTDX・最大オゾンガス発生量６L/min)を使用した。
更に、シャワーヘッド６内のオゾン混合水のオゾンガス濃度は、袋を被せた容器(バケツ)の中にオゾン混合水を入れ、一定時間（約２０分）経過後に水面上部の空間部内へ上昇したオゾンガスOの濃度を測定することにより得た値である。
【００３４】
表１は、上記図３の試験方法により測定したシャワーヘッド６に於けるオゾン混合水のオゾン濃度、ドレーン排水用ホース９部に於けるドレーン排水内のオゾン濃度、及びドレーン排水用ホース９部に於けるオゾンガス流量の測定結果を示すものである。
【００３５】
【表１】
0003181354.tif 000003
【００３６】
表１からも明らかなように、水栓１６を開放してエジエクタ３の吸引力（真空度）が上昇してくると、ドレーン排水用ホース９部のオゾンガス濃度及びオゾンガス流量が減少して行く。
また、水道水Wの供給圧P1が0.18MPa程度に成ると、ドレーン排水用ホース９部のオゾンガス濃度及びオゾンガス流量がほぼ零になる。
【００３７】
更に、表１には示されていないが、水道水Wの供給圧P1が0.20MPa以上になると、ドレーン排水用ホース９部内が負圧になって外部空気が吸入され、オゾンガスと吸入された外部空気とが混合されることにより、シャワーヘッド６内のオゾン混合水のオゾンガス濃度が低下することになる。そのため、オゾンガス発生器２のオゾンガス発生量の増加や水道水Wの供給圧P1の調整等の操作が必要になる場合がある。
【産業上の利用可能性】
【００３８】
本考案は、小動物のシャワークリーニングのみならず、医療用や産業用のシャワー消毒やシャワー洗浄等にも適用できるものである。
【符号の説明】
【００３９】
Ａ  空気流
W  水道水
O  オゾンガス
V１ 圧力調整弁
P1  圧力計
１  オゾン水シャワー装置
２  オゾンガス発生器
２a  空気ポンプ
３  エジエクタ３
３a  水入口
３b  オゾンガス入口
３c  オゾン混合水出口
４  逆止弁
５  ドレーン弁
６  シャワーヘッド
７  給水ホース
８  オゾンガス供給用ホース
９  ドレーン排水用ホース
１０  気密タンク
１１  シャワー本体
１２  逆流防止器
１２a  気密性タンク本体
１２b  オゾンガス入口
１２c  オゾンガス出口
１２ｄ  ドレーン排水口
１３  オゾンガス流量計
１４  オゾンガス濃度測定器
１５  テスト用仮通路
１６  水栓
【図１】
0003181354.tif 000004
【図２】
0003181354.tif 000005
【図３】
0003181354.tif 000006
【図４】
0003181354.tif 000007
【図５】
0003181354.tif 000008